(57)【要約】【課題】ブロックにアンカー具を介して笠木を容易且つ強固に固定することが可能な笠木の固定構造を提供する。【解決手段】笠木１９は、ブロックの上端部にアンカー具２０を介して固定される。笠木１９の下面には、該笠木１９の長手方向に沿って延びる一対の支持部２４が笠木の短手方向に所定間隔を置いて位置するように設けられている。アンカー具２０は、平面視で平行四辺形状（菱形状、長方形状、及び正方形状を除く）をなす本体部２５と、該本体部の下面に突設された一対の脚部２６とを備える。本体部２５は、その長手方向側の両端縁部に両支持部２４と各々係止可能な係止部２７を有するとともに、その短手方向側の幅が両支持部２４間の距離よりも短くなるように設定されている。そして、本体部２５を両支持部２４間に配置した状態で、該本体部２５を９０度回動することによって、両係止部２７が両支持部２４と各々係止する。【選択図】図５
2008179978.tif 000002
【特許請求の範囲】
【請求項１】
ブロックの端部にアンカー具を介して笠木を固定する笠木の固定構造において、
前記笠木の裏面には、該笠木の長手方向に沿って延びる一対の支持部が前記笠木の短手方向に所定間隔を置いて位置するように設けられ、
前記アンカー具は、平面視で平行四辺形状（菱形状、長方形状、及び正方形状を除く）をなす本体部と、該本体部の裏面に突設されたアンカー部とを備え、
前記本体部は、その長手方向側の両端縁部に前記両支持部と各々係止可能な係止部を有するとともに、その短手方向側の幅が前記両支持部間の距離よりも短くなるように設定され、
前記本体部を前記両支持部間に配置した状態で、該本体部を前記笠木の裏面と垂直な軸線を中心として回動することによって、前記両係止部が前記両支持部と各々係止することを特徴とする笠木の固定構造。
【請求項２】
前記両支持部は、互いに対向するように内側に向かって延びる支持片をそれぞれ備え、
前記両係止部は、前記両支持片を挟持する挟持片をそれぞれ備えていることを特徴とする請求項１に記載の笠木の固定構造。
【請求項３】
前記アンカー部は複数本の脚部よりなり、該各脚部は前記本体部の裏面における前記笠木の短手方向の中央位置と対応する位置から外れた位置に設けられていることを特徴とする請求項１または請求項２に記載の笠木の固定構造。
【請求項４】
前記アンカー部には、前記本体部側に向かって斜めに延びる返し部が設けられていることを特徴とする請求項１〜請求項３のうちいずれか一項に記載の笠木の固定構造。
【請求項５】
前記アンカー部には、該アンカー部の長さを短くするために切断可能な脆弱部が設けられていることを特徴とする請求項１〜請求項４のうちいずれか一項に記載の笠木の固定構造。
【発明の詳細な説明】
【技術分野】
【０００１】
本発明は、例えば住宅などの外構におけるブロックの端部を覆う笠木の固定構造に関する。
【背景技術】
【０００２】
一般に、住宅などの外構におけるブロックには、該ブロックの上端部に露出する溝や穴などの開口部を塞いで意匠性を向上したり、該ブロックの開口部から雨水などが入り込まないようにしたりするために、そのブロックの上端部を覆うように笠木が取着される。こうした場合、笠木はブロックの上端部から脱落しないように取着される必要があり、従来から、例えば特許文献１に示す笠木の固定構造が提案されている。
【０００３】
この特許文献１に記載のブロック笠木構造（笠木の固定構造）では、笠木の長手方向に沿う両側縁部の下面側に略Ｌ字状をなすように屈曲して相対向する一対の支持嵌合部（支持部）を設け、その両支持嵌合部に断面視Ｔ字状をなすアンカー具の腕部（本体部）が係止されるようにしている。そして、そのように笠木の支持嵌合部に腕部が係止された状態にあるアンカー具の脚部（アンカー部）をブロックの開口部内にモルタルで固定するようにしている。
【０００４】
すなわち、特許文献１のブロック笠木構造では、アンカー具の腕部の先端に引掛片部が立設されており、笠木の下面側における両支持嵌合部の間で腕部が回転されると、この引掛片部が笠木の下面と支持嵌合部の先端部で構成される足片部との間に嵌合されることで、アンカー具が笠木に固定されるようになっている。そして、さらに腕部が回転されると、引掛片部の支持嵌合部に対する嵌合状態が解除されて、アンカー具が笠木の長手方向に沿ってスライド移動可能な状態となり、笠木に対するアンカー具の取り付け位置を自由に変更できるようになっている。
【特許文献１】特開平１１−３０３４６１号公報
【発明の開示】
【発明が解決しようとする課題】
【０００５】
ところで、特許文献１のブロック笠木構造では、アンカー具を笠木に取り付ける際に、腕部の回転量が少なすぎても多すぎても引掛片部が十分に笠木の支持嵌合部に嵌合されないので、腕部を回転させる際の力加減が難しかった。加えて、アンカー具の腕部は、正逆両方向に回転可能であるため、アンカー具の笠木に対する取り付け強度が十分であるとは言い難かった。このため、ブロックにアンカー具を介して笠木を容易且つ強固に固定することが困難であるという問題があった。
【０００６】
本発明は、このような課題に着目してなされたものである。その目的とするところは、ブロックにアンカー具を介して笠木を容易且つ強固に固定することが可能な笠木の固定構造を提供することにある。
【課題を解決するための手段】
【０００７】
上記目的を達成するために、請求項１に記載の発明は、ブロックの端部にアンカー具を介して笠木を固定する笠木の固定構造において、前記笠木の裏面には、該笠木の長手方向に沿って延びる一対の支持部が前記笠木の短手方向に所定間隔を置いて位置するように設けられ、前記アンカー具は、平面視で平行四辺形状（菱形状、長方形状、及び正方形状を除く）をなす本体部と、該本体部の裏面に突設されたアンカー部とを備え、前記本体部は、その長手方向側の両端縁部に前記両支持部と各々係止可能な係止部を有するとともに、その短手方向側の幅が前記両支持部間の距離よりも短くなるように設定され、前記本体部を前記両支持部間に配置した状態で、該本体部を前記笠木の裏面と垂直な軸線を中心として回動することによって、前記両係止部が前記両支持部と各々係止することを要旨とする。
【０００８】
上記構成によれば、アンカー具の本体部が平面視で平行四辺形状（菱形状、長方形状、及び正方形状を除く）をなしているため、本体部の長い方の対角線は少なくとも両支持部間の距離よりも長くなる。そのため、両係止部が両支持部と各々係止した状態では、それ以上本体部を笠木の裏面と垂直な軸線を中心として回動することができなくなる。すなわち、両係止部が両支持部と各々係止した状態では、本体部は笠木の裏面と垂直な軸線を中心として一方の方向にしか回動することができない。
【０００９】
したがって、本体部を両支持部間に配置した状態で力加減をすることなく回動可能なところまで回動させることで、両係止部が両支持部と各々強固に係止する。この結果、ブロックにアンカー具を介して笠木を容易且つ強固に固定することが可能となる。
【００１０】
請求項２に記載の発明は、請求項１に記載の発明において、前記両支持部は、互いに対向するように内側に向かって延びる支持片をそれぞれ備え、前記両係止部は、前記両支持片を挟持する挟持片をそれぞれ備えていることを要旨とする。
【００１１】
上記構成によれば、両係止部が両支持部と各々係止した状態では、両挟持片が両支持片を各々挟持した状態となる。したがって、アンカー具の笠木に対する取り付け強度を高めることが可能となる。
【００１２】
請求項３に記載の発明は、請求項１または請求項２に記載の発明において、前記アンカー部は複数本の脚部よりなり、該各脚部は前記本体部の裏面における前記笠木の短手方向の中央位置と対応する位置から外れた位置に設けられていることを要旨とする。
【００１３】
ブロックを補強する鉄筋は、通常、笠木の短手方向の中央位置と対応する位置に配筋される。この点、上記構成によれば、アンカー部を構成する各脚部は、本体部の裏面における笠木の短手方向の中央位置と対応する位置から外れた位置に設けられているため、ブロックにアンカー具を介して笠木を固定した際に、アンカー部と鉄筋とが干渉することを抑制することが可能となる。
【００１４】
請求項４に記載の発明は、請求項１〜請求項３のうちいずれか一項に記載の発明において、前記アンカー部には、前記本体部側に向かって斜めに延びる返し部が設けられていることを要旨とする。
【００１５】
上記構成によれば、例えばブロックにアンカー具のアンカー部をモルタルによって固定する場合に、アンカー部をモルタル内に挿入する際の返し部による抵抗が抑制され、アンカー部をモルタル内に挿入した後には返し部の作用によりモルタルからアンカー部が抜け難くなる。
【００１６】
請求項５に記載の発明は、請求項１〜請求項４のうちいずれか一項に記載の発明において、前記アンカー部には、該アンカー部の長さを短くするために切断可能な脆弱部が設けられていることを要旨とする。
【００１７】
上記構成によれば、アンカー部を脆弱部において切断することで、該アンカー部の長さを容易に短くすることが可能となる。
【発明の効果】
【００１８】
本発明によれば、ブロックにアンカー具を介して笠木を容易且つ強固に固定することが可能な笠木の固定構造を提供することができる。
【発明を実施するための最良の形態】
【００１９】
以下、本発明を住宅などの外構におけるブロック塀の上端部を覆う笠木の固定構造に具体化した一実施形態を図面に基づいて説明する。なお、以下の説明において、「前後方向」、「上下方向」及び「左右方向」をいう場合は、特に説明がない限り、図１を基準とした場合の「前後方向」、「上下方向」及び「左右方向」と一致するものとする。
【００２０】
図１に示すように、ブロック塀１１は、直方体状をなす複数のコンクリート製のブロック１２を上下方向に積み重ねるとともに左右方向に配列することで形成される。各ブロック１２の上面における前後方向の中央部には、断面視略半円状をなす上面凹溝１３が左右方向に沿って延びるように形成されている。また、各ブロック１２の左右両側面における前後方向の中央部には、断面視略半円状をなす側面凹溝１４が上下方向に沿って延びるように形成されている。
【００２１】
各ブロック１２の上面凹溝１３内及び側面凹溝１４内には、左右方向に延びる鉄筋である横筋１５及び上下方向に延びる鉄筋である縦筋１６がそれぞれ配筋されている。各縦筋１６の上端部は湾曲して最も上側に位置する横筋１５にそれぞれ係着されている。さらに、各ブロック１２の上面凹溝１３内、側面凹溝１４内、及び各ブロック１２の対向面間である目地１７には、モルタル１８（図２参照；図１ではモルタル１８を省略して描いている）が充填されている。そして、最上段に位置する各ブロック１２の上端部には、笠木１９が、該各ブロックの上面を覆うように、上面凹溝１３内に充填されたモルタル１８（図２参照）をバインダとしてアンカー具２０を介して固定されている。
【００２２】
次に、笠木１９について詳述する。
図２及び図３に示すように、笠木１９は、アルミニウムの押出成形品であり、左右方向に長い中空の矩形板状をなしている。笠木１９内における該笠木１９の短手方向の中央部には、笠木１９の長手方向（左右方向）に沿って延びる一対の補強用のリブ２１が笠木１９の短手方向（前後方向）に所定間隔を置いて位置するように設けられている。この場合、笠木１９の前後方向の幅は、ブロック１２の前後方向の幅よりも大きくなるように設定されている。
【００２３】
笠木１９の下面（裏面）において、両リブ２１を挟んだ前後両側には、笠木１９の長手方向に沿って延びるスペーサ２２が対をなすように設けられている。両スペーサ２２は、断面視Ｌ字状をなすように内側に屈曲して互いに対向している。両スペーサ２２の上下方向の幅は、上下の各ブロック１２間に形成されて左右方向に延びる目地１７（図１参照）の上下方向の幅と同じになるように設定されている。
【００２４】
また、両スペーサ２２の下面は、最上段に位置するブロック１２の上面における前端縁部及び後端縁部にそれぞれ当接している。さらに、前側のスペーサ２２の前面とブロック１２の前面とは面一になっているとともに、後側のスペーサ２２の後面とブロック１２の後面とは面一になっている。また、両スペーサ２２の内側において、両スペーサ２２と笠木１９の下面とで形成されるコーナ部には、断面視Ｃ字状をなすネジ穴２３がそれぞれ左右方向に延びるように形成されている。ネジ穴２３にはタッピングネジが螺入されるようになっており、例えば笠木１９の左右両端の開口を塞ぐためのカバー部材などの他の部材がタッピングネジによって螺着可能になっている。
【００２５】
笠木１９の下面においてブロック１２の上面凹溝１３と両スペーサ２２との間となる位置には、それぞれ左右方向に沿って延びる支持部２４が前後で一対をなすようにそれぞれ設けられている。すなわち、両支持部２４は、笠木１９の下面に前後方向に所定間隔を置いて位置するように設けられている。両支持部２４は、断面視Ｌ字状をなすように内側に屈曲して互いに対向している。すなわち、両支持部２４は、笠木１９の下面から垂下した垂下部２４ａと、該垂下部２４ａの下端から内側に直角に屈曲した部分からなる支持片２４ｂとをそれぞれ備えている。
【００２６】
両支持部２４の垂下部２４ａの長さ（両支持部２４の上下方向の幅）は、両スペーサ２２の上下方向の幅の半分程度となるように設定されている。そして、両支持片２４ｂの先端には両支持部２４における他の部分よりも肉厚とされた断面視略円形の肉厚部２４ｃがそれぞれ形成されている。
【００２７】
次に、アンカー具２０について詳述する。
図２及び図４に示すように、アンカー具２０は、アルミニウムの押出成形品であり、平面視で平行四辺形状（菱形状、長方形状、及び正方形状を除く）をなす略平板状の本体部２５と、該本体部２５の下面（裏面）から下方に向かって突設されたアンカー部としての一対の略平板状をなす脚部２６とを備えている。
【００２８】
アンカー具２０の本体部２５は、図４における前後方向が長手方向とされるとともに、図４における左右方向が短手方向とされている。そして、本体部２５の短手方向側の幅は、笠木１９における両支持部２４の肉厚部２４ｃ間の距離よりも短くなるように設定されている。一方、本体部２５の長手方向側の幅は、笠木１９における両支持部２４の肉厚部２４ｃ間の距離よりも長く、且つ笠木１９における両支持部２４の垂下部２４ａ間の距離よりも短くなるように設定されている。
【００２９】
また、本体部２５は、その長手方向側の両端縁部に、笠木１９の両支持部２４と各々係止可能な断面視コ字状をなす係止部２７を備えている。両係止部２７は、上下方向に所定間隔をおいて左右方向に平行に延びる一対の矩形板状の挟持片２８と、両挟持片２８の内側端部間を連結する連結部２９とをそれぞれ備えている。したがって、両係止部２７は、左右の両端部及び前後方向の各先端部において開口している。
【００３０】
また、両係止部２７における両挟持片２８間の間隔は、笠木１９における両支持部２４の肉厚部２４ｃの上下方向の厚さと同じになるように設定されている。さらに、両挟持片２８の上下方向の厚さは、笠木１９における両支持部２４の肉厚部２４ｃと笠木１９の下面との間の隙間よりも薄くなるように設定されている。なお、本体部２５の上面において、両係止部２７と本体部２５の前後方向における中央部とのそれぞれの間には、左右方向に延びる前後一対の凹部３０が形成されている。
【００３１】
アンカー具２０の両脚部２６は本体部２５の前後方向における中央部を挟んだ前後両側に所定間隔を置いて互いに平行となるように対向して配置されており、両脚部２６の左右方向の幅は本体部２５の左右方向の幅と同じになっている。したがって、ブロック１２にアンカー具２０を介して笠木１９を固定した状態では、両脚部２６が横筋１５と対応する位置である笠木１９の左右方向（短手方向）の中央位置から外れた位置に配置されるようになっている。
【００３２】
両脚部２６の上下方向の中央部における外側の面には、左右方向から見て横Ｖ字状をなす脆弱部としての窪み部３１が左右方向に延びるように形成されている。すなわち、窪み部３１は、両脚部２６において、他の部分よりも強度が弱くなっている部分である。そして、両脚部２６は、窪み部３１において繰り返し外側に折り曲げることで、窪み部３１において切断可能となっている。さらに、両脚部２６における前後方向の肉厚は、窪み部３１の上側よりも下側の方が薄くなっている。すなわち、両脚部２６は、該両脚部２６の突設方向（上下方向）における窪み部３１を挟んだ上側（基端側）と下側（先端側）とでは、上側の方が下側よりも強度が強くなっている。
【００３３】
また、両脚部２６の下端には、内側斜め上方に向かって延びる下側返し部３２が設けられている。さらに、両脚部２６の内側面における窪み部３１の上側に隣接する位置には、斜め上方に向かって延びる上側返し部３３が設けられている。この場合、上側返し部３３の長さは、下側返し部３２の長さよりも長くなっている。
【００３４】
次に、ブロック１２にアンカー具２０を介して笠木１９を固定する際の作用について説明する。なお、図５は笠木１９及びアンカー具２０を下側から見た図である。
ブロック１２にアンカー具２０を介して笠木１９を固定する場合には、まず、笠木１９にアンカー具２０を取り付ける必要がある。すなわち、図５に示すように、笠木１９の両支持部２４間にアンカー具２０の本体部２５を配置する。このとき、アンカー具２０は、その本体部２５の上面と笠木１９の下面とを接触させるとともに、その本体部２５の長手方向が笠木１９の長手方向とほぼ平行となるようにする（図５の２点鎖線で示す状態）。
【００３５】
引き続き、アンカー具２０の本体部２５を、笠木１９の下面（図５の紙面）と垂直な軸線を中心に図５における時計回り方向に回動する。すなわち、本体部２５を図５において該本体部２５の短い方の対角線上の頂点が回動方向の先頭となるように回動する。そして、本体部２５（アンカー具２０）が図５において２点鎖線で示す状態から実線で示す状態に回動した状態、すなわち本体部２５が９０度回動された状態になると、図２に示すように、笠木１９における両支持部２４の肉厚部２４ｃが、本体部２５の左右両端縁部にそれぞれ備えられた両挟持片２８間にそれぞれ嵌入された状態となる。すなわち、両支持部２４の肉厚部２４ｃが、本体部２５の２対の挟持片２８によってそれぞれ挟持された状態となって、笠木１９に対してアンカー具２０が取り付けられる。
【００３６】
また、上記のように笠木１９に対してアンカー具２０を取り付ける際に、アンカー具２０の本体部２５を、笠木１９の下面と垂直な軸線を中心に時計回り方向に９０度よりも大きく回動しようとした場合には、本体部２５の長い方の対角線と対応する両コーナ部において、本体部２５の係止部２７の連結部２９が笠木１９における両支持部２４の肉厚部２４ｃに当接する。
【００３７】
このため、本体部２５は、時計回り方向に９０度よりも大きく過剰に回動されない。したがって、本体部２５を、笠木１９の下面と垂直な軸線を中心に時計回り方向に力加減をすることなく力一杯回動することで、笠木１９に対してアンカー具２０が容易且つ確実に取り付けられる。
【００３８】
そして、上記と同様にして、笠木１９の長手方向に沿って所望の位置に所望の間隔を開けて所望の数だけ笠木１９に対してアンカー具２０を順次取り付ける。この場合、笠木１９に対するアンカー具２０の取り付け位置、取り付け間隔、及び取り付け数は、笠木１９を固定するブロック１２の形状や種類などを考慮して必要に応じて適宜変更される。
【００３９】
また、笠木１９に対して一旦取り付けたアンカー具２０の取り付け位置を変更する場合には、アンカー具２０の本体部２５を、笠木１９の下面と垂直な軸線を中心に図５における反時計回り方向に９０度回動する。この状態で、本体部２５を笠木１９の長手方向に沿って変更したい取り付け位置にスライド移動させ、再び本体部２５を、笠木１９の下面と垂直な軸線を中心に図５における時計回り方向に９０度回動すればよい。
【００４０】
引き続き、図２に示すように、最上段に位置する各ブロック１２の上面凹溝１３内にモルタル１８を充填し、上記の各アンカー具２０が取り付けられた笠木１９を、該笠木１９の下面が各ブロック１２の上面と対向するように配置する。このとき、笠木１９の短手方向（前後方向）における中央位置は、各ブロック１２の上面凹溝１３内においてモルタル１８によって埋没された横筋１５と対応している。
【００４１】
引き続き、笠木１９を各ブロック１２の上面に向かって押し下げると、各アンカー具２０の両脚部２６がそれぞれモルタル１８に突き刺さり、さらに笠木１９を押し下げると、各アンカー具２０の両脚部２６がそれぞれモルタル１８内に没入される。そして、笠木１９の両スペーサ２２が各ブロック１２の上面に当接するまで笠木１９を押し下げると、各アンカー具２０の両脚部２６は、その上側返し部３３まで完全にモルタル１８内に埋没する。
【００４２】
このとき、各アンカー具２０の両脚部２６は、横筋１５と対応する位置から外れた位置、すなわち横筋１５を挟んだ前後両側にそれぞれ配置されているため、各アンカー具２０の両脚部２６と横筋１５とが干渉することはない。また、各アンカー具２０の両脚部２６に設けられた上側返し部３３及び下側返し部３２は、内側斜め上方に向かって延びているため、該両脚部２６をモルタル１８内に突き刺して埋没する際の抵抗が抑制されるとともに、各ブロック１２の上面凹溝１３内において上側返し部３３及び下側返し部３２の上側にモルタル１８が回り込み易くなる。加えて、上側返し部３３及び下側返し部３２の作用により、一旦モルタル１８内に突き刺して埋没させた両脚部２６は、上方へ抜けにくくなる。その後、モルタル１８が乾燥して固まることで、ブロック１２の上面に各アンカー具２０を介して笠木１９が固定される。
【００４３】
また、図６に示すように、ブロック１２の上面凹溝１３の深さが浅くて、アンカー具２０の両脚部２６をそれぞれモルタル１８内に没入した際に両脚部２６が上面凹溝１３の底面に突き当たる場合には、図７に示すように、両脚部２６を窪み部３１から外側に繰り返し折り曲げることで、両脚部２６を窪み部３１において切断して短くすればよい。この場合、両脚部２６を窪み部３１において切断した後においても、上側返し部３３は残るため、上側返し部３３の作用により両脚部２６はモルタル１８から抜けにくくなる。
【００４４】
以上詳述した実施形態によれば次のような効果が発揮される。
（１）アンカー具２０の本体部２５は、その本体部２５の長い方の対角線が両支持部２４の肉厚部２４ｃ間の距離よりも長くなるように形成された平面視で平行四辺形状（菱形状、長方形状、及び正方形状を除く）をなしている。このため、笠木１９の両支持部２４間にアンカー具２０の本体部２５を配置した状態で、本体部２５を笠木１９の下面と垂直な軸線を中心に図５において時計回り方向に回動すると、両係止部２７が両支持部２４と各々係止した状態となり、その係止した状態よりも先へは本体部２５を回動することが不可能になる。すなわち、アンカー具２０は、本体部２５の両係止部２７が笠木１９側の両支持部２４と各々係止した状態では、従来とは異なり、図５において反時計回り方向（一方の方向）にしか回動することができないため、両係止部２７と両支持部２４との係止状態が解除されにくくなる。したがって、本体部２５を両支持部２４間に配置した状態で力加減をすることなく回動可能なところまで図５において時計回り方向に回動させることで、両係止部２７を両支持部２４と各々強固に係止することができる結果、ブロック１２にアンカー具２０を介して笠木１９を容易且つ強固に固定することができる。
【００４５】
（２）両係止部２７が両支持部２４と各々係止した状態では、両挟持片２８が両支持片の肉厚部２４ｃを各々挟持した状態となるため、アンカー具２０の笠木１９に対する取り付け強度を高めることができる。
【００４６】
（３）アンカー具２０の両脚部２６は、本体部２５の下面における横筋１５と対応する位置である笠木１９の短手方向の中央位置から外れた位置に設けられているため、ブロック１２にアンカー具２０を介して笠木１９を固定した際に、アンカー具２０の両脚部２６と横筋１５とが干渉することを回避することができる。
【００４７】
（４）アンカー具２０の両脚部２６には、斜め上方に向かって延びる上側返し部３３及び下側返し部３２がそれぞれ設けられている。このため、両脚部２６をブロック１２の上面凹溝１３内に充填されたモルタル１８に突き刺して埋没する際に、上側返し部３３及び下側返し部３２による抵抗を抑制することができるとともに、上側返し部３３及び下側返し部３２の上側にモルタル１８を回り込み易くすることができる。加えて、両脚部２６をモルタル１８内に埋没した後には、上側返し部３３及び下側返し部３２の作用によりモルタル１８内から両脚部２６を抜けにくくすることができる。
【００４８】
（５）上側返し部３３及び下側返し部３２は、アンカー具２０の両脚部２６の内側にそれぞれ設けられているため、作業時に、上側返し部３３及び下側返し部３２が無駄に手や物などに引っかからないようにすることができる。
【００４９】
（６）アンカー具２０の両脚部２６には、該両脚部２６の長さを短くするために切断可能な窪み部３１が設けられているため、両脚部２６を窪み部３１において切断することで、該両脚部２６の長さを容易に短くすることができる。特に本実施形態では、アンカー具２０がアルミニウム製であるため、両脚部２６を窪み部３１において道具を使うことなく素手で容易に切断することができる。
【００５０】
（７）アンカー具２０の両脚部２６における前後方向の肉厚は、窪み部３１の上側よりも先端側となる下側の方が薄くなっているため、両脚部２６の窪み部３１において該窪み部３１から下側を素手でより一層容易に切断除去することができる。
【００５１】
（８）アンカー具２０の両脚部２６における窪み部３１の上側に隣接する位置には、上側返し部３３が設けられているため、両脚部２６の長さを短くするために該両脚部２６を窪み部３１において切断して該窪み部３１よりも下側を除去したとしても、両脚部２６には上側返し部３３が残る。したがって、両脚部２６を窪み部３１において切断しても、両脚部２６を残った上側返し部３３によりモルタル１８から抜けにくくすることができる。
【００５２】
（変更例）
なお、上記実施形態は、次のように変更して具体化することも可能である。
・アンカー具２０の両脚部２６において、窪み部３１を省略してもよい。
【００５３】
・アンカー具２０の両脚部２６において、上側返し部３３及び下側返し部３２を外側に設けるようにしてもよい。
・アンカー具２０の両脚部２６は、平板状でなく棒状に形成してもよい。
【００５４】
・笠木１９の両支持部２４の形状とアンカー具２０の本体部２５の左右両端縁部にそれぞれ備えられた両挟持片２８の形状とを入れ替えた構成とし、笠木１９に対してアンカー具２０を取り付けた際に、両支持部２４が本体部２５を挟持するように構成してもよい。
【００５５】
・本体部２５の両係止部２７を平板状に構成し、笠木１９に対してアンカー具２０を取り付けた際に、本体部２５の両係止部２７が笠木１９の下面と該笠木１９の両支持部２４の肉厚部２４ｃとの間にそれぞれ嵌入されるように構成してもよい。
【００５６】
・アンカー具２０の両脚部２６において、窪み部３１を上下方向に所定間隔を置いて２つ以上並設するように構成してもよい。このようにすれば、各窪み部３１を下から順次切断することで、両脚部２６を段階的に短くすることができる。
【００５７】
・笠木１９は、各ブロック１２の左右の側面に側面凹溝１４を覆うように固定してもよい。
・ブロック１２の前後方向の幅を笠木１９の前後方向の幅と同じにしてもよい。
【００５８】
さらに、上記実施形態より把握できる技術的思想について以下に追記する。
（イ）前記アンカー部は、該アンカー部の突設方向における前記脆弱部を挟んだ基端側と先端側とでは、該基端側の方が該先端側よりも強度が強くなっていることを特徴とする請求項５に記載の笠木の固定構造。
【００５９】
上記構成によれば、アンカー部の脆弱部において該脆弱部から先端側を容易に切断することができる。
（ロ）前記返し部は、前記アンカー部の内側に設けられていることを特徴とする請求項４に記載の笠木の固定構造。
【００６０】
上記構成によれば、作業時に、返し部が無駄に手や物などに引っかからないようにすることができる。
（ハ）前記返し部は、前記アンカー部の延びる方向（突設方向）における前記脆弱部よりも基端側に設けられていることを特徴とする請求項４または上記（ロ）に記載の笠木の固定構造。
【００６１】
上記構成によれば、前記アンカー部の長さを短くするために該アンカー部を脆弱部において切断して該脆弱部よりも先端側を除去したとしても、該アンカー部から返し部がなくならないようにすることができる。
【図面の簡単な説明】
【００６２】
【図１】実施形態において、ブロック塀にアンカー具を介して笠木を固定した状態を示す要部斜視図。
【図２】図１の２−２線矢視断面図。
【図３】笠木を斜め下方から見た場合の斜視図。
【図４】アンカー具を斜め上方から見た場合の斜視図。
【図５】笠木にアンカー具を取り付けるときの状態を示す底面図。
【図６】ブロック塀に両脚部を短くしたアンカー具を介して笠木を固定した状態を示す断面図。
【図７】アンカー具の両脚部を窪み部において切断して短くするときの状態を示す断面図。
【符号の説明】
【００６３】
１２…ブロック、１９…笠木、２０…アンカー具、２４…支持部、２４ｂ…支持片、２５…本体部、２６…アンカー部としての脚部、２７…係止部、２８…挟持片、３１…脆弱部としての窪み部、３２…返し部としての下側返し部、３３…返し部としての上側返し部。
【図１】
2008179978.tif 000003
【図２】
2008179978.tif 000004
【図３】
2008179978.tif 000005
【図４】
2008179978.tif 000006
【図５】
2008179978.tif 000007
【図６】
2008179978.tif 000008
【図７】
2008179978.tif 000009